(57)【特許請求の範囲】
【請求項１】
育苗器本体を構成する立方枠組構造からなる器枠の下部に、段積み苗箱を乗載支持する苗箱台を並設したフレームを設け、このフレームの間口側中央部の下方に、間口巾が小さく奥行きが長尺で、かつ、加熱手段をもつ湯槽を配設するとともに、前記器枠に断熱材料よりなる立方体構造の保温カバーを着脱可能に被覆せしめ、育苗器本体の内部雰囲気を湯槽から発散する加熱水蒸気により所定の温度に保温し、種籾の健全な発芽，育苗を行い、一方、前記苗箱表面，器枠及び保温カバーの内壁面に生じた結露を湯槽内に誘導回収するようにし、前記湯槽の上方に、上昇水蒸気を左右に分流する分岐稜線をもつ分散遮熱板を配設した温水育苗器において、
上記分散遮熱板は、分岐稜線が湯槽に下向きに臨むように断面Ｖ字状に形成され、上記分岐稜線に上昇水蒸気の通過と分散遮熱板上に滴下した結露水の回収を兼用とする通孔を所要間隔を介して設けたことをことを特徴とする温水育苗器。
【請求項２】
前記分岐稜線部に設けられた通孔は育苗器本体の奥行き方向に列設せる段積み苗箱間に形成された間隙部に適合されていることを特徴とする請求項１記載の温水育苗器。
【発明の詳細な説明】
【０００１】
【産業上の利用分野】
本発明は、温水育苗器の改善に関する。
【０００２】
【発明の技術的背景】
従来知られている温水育苗器の構成は、育苗器本体を構成する立方枠組構造からなる器枠の下部に、段積み苗箱を乗載支持する苗箱台を並設したフレームを設け、このフレームの間口側中央部の下方に、間口巾が小さく奥行きが長尺で、かつ、内部に電熱ヒータを投入配設した湯槽を配設するとともに、前記器枠に断熱材料よりなる立方構造の保温カバーを着脱可能に被覆せしめ、育苗器本体の内部雰囲気を湯槽から発散する加熱水蒸気により所定の温度に保温し、種籾の健全な発芽，育苗を行い、一方、前記苗箱表面，器枠及び保温カバーの内壁面に生じた結露を湯槽の左右に連設した回収斜板を介して湯槽内に誘導回収するようにしたものである。
【０００３】
このような温水育苗器にあっては、湯槽の直上に段積み苗箱を配設すると、湯槽から上昇する加熱水蒸気が段積みされた最下段の苗箱の底部に直接接蒸し、当該苗箱が過加熱され種籾の発芽が他の苗箱の種籾の発芽より早くなり均衡育苗性を欠くばかりでなく、連続して加熱されると床土が乾燥し苗が枯れるという現象が生ずる。従ってこの種の温水育苗器では、湯槽の直上に段積み苗箱を配設することができないことから、湯槽の直上に相当の空間が保持されるよう苗箱を収納しなければならない。このことは前記空間相当分だけ育苗器本体が大型化されるという経済的な不都合がある。
【０００４】
本発明の目的は、湯槽直上に段積み苗箱の収容を可能とし、育苗器本体の小型化が合理的に図れる温水育苗器を提供することにある。
【０００５】
【課題を解決するための手段】
従来技術の課題を解決する本発明の構成は、育苗器本体を構成する立方枠組構造からなる器枠の下部に、段積み苗箱を乗載支持する苗箱台を並設したフレームを設け、このフレームの間口側中央部の下方に、間口巾が小さく奥行きが長尺で、かつ、加熱手段をもつ湯槽を配設するとともに、前記器枠に断熱材料よりなる立方体構造の保温カバーを着脱可能に被覆せしめ、育苗器本体の内部雰囲気を湯槽から発散する加熱水蒸気により所定の温度に保温し、種籾の健全な発芽，育苗を行い、一方、前記苗箱表面，器枠及び保温カバーの内壁面に生じた結露を湯槽内に誘導回収するようにし、前記湯槽の上方に、上昇水蒸気を左右に分流する分岐稜線をもつ分散遮熱板を配設した温水育苗器において、上記分散遮熱板は、分岐稜線が湯槽に下向きに臨むように断面Ｖ字状に形成され、上記分岐稜線に上昇水蒸気の通過と分散遮熱板上に滴下した結露水の回収を兼用する通孔を所要間隔を介して設けたこと、および、前記分岐稜線部に設けられた通孔は育苗器本体の奥行き方向に列設せる段積み苗箱間に形成された間隙部に適合されていることを特徴とする。
【０００６】
【作用】
湯槽から発散上昇される加熱水蒸気は、その一部が分散遮熱板の通孔を通過して上昇し残部は左右に分流され、加熱水蒸気が直接苗箱の底部に接触することがないため、湯槽の直上に段積み苗箱を配設収容することができ、上昇加熱水蒸気の直接接蒸を回避する空間を設ける必要がないので育苗器本体の小型化が合理的に図れる。分散遮熱板の分岐稜線部に適当の間隔を介して上昇加熱水蒸気の一部を通過させる通孔を設け、この各通孔の上方に育苗器本体の奥行き方向に列設せる段積み苗箱間に形成せる間隙部を適合させたことにより、苗箱の局部的加熱が防止され、育苗効率の向上が図れる。苗箱，苗箱台及びフレームなどに生じた結露流水を分散遮熱板にて受け通孔を介して湯槽内に誘導回収することができる。
【０００７】
【実施例】
次に、図面について本発明実施例の詳細を説明する。
図１は一部切欠正面図、図２は一部切欠側面図、図３は分散遮熱板の斜視図である。
【０００８】
１は、育苗器本体Ａを構成する立方枠構造からなる器枠であって、この器枠１の下部には、段積み苗箱２を乗載支持する多数の苗箱台３を並設したフレーム４が設けてある。このフレーム４、詳しくは、前記育苗器本体Ａの間口側中央部の下方に、間口巾が小さく前記器枠１の奥行き長と略等しい長さを有する湯槽５を配設するとともに、前記器枠１に断熱材料よりなる開閉可能な保温カバー６を着脱可能に被覆せしめる。図中７は、湯槽５内に設けた電熱ヒータ，８は、湯槽５の左右に連設した結露流水の回収斜板，９は、前記保温カバー６の下部内壁面に上端縁が連結され、下端縁が回収斜板８の周縁上におかれた結露流水の還水部材である。尚、この実施例では図１に示すように、平面形状が長方形状の苗箱２の長辺側が育苗器本体Ａの間口側に面するようにし、苗箱２を３本１組の前記苗箱台３上に乗載せしめるとともに、間口方向に３列積みとし、図２に示すように、各列に４組の段積み苗箱２を収容させ、各段積み苗箱２間に夫々加熱水蒸気流通用の間隙１０を形成保持させたものである。
【０００９】
以上のように構成され育苗器本体Ａにおいて本発明は、前記湯槽５の上方に適当の間隔を介して上昇する加熱水蒸気の一部を通過させ残部を左右に分流する分岐稜線１１を中央に設けた分散遮熱板１２を配設したものである。この分散遮熱板１２の構成は、特に図１，図３に示すように、前記分岐稜線１１を中心としてこれの左右に、上向きに傾斜し総巾が前記湯槽５より広巾で、而も苗箱２の長辺側より狭巾となる対称的な傾斜板部１２ａを形成し、この両傾斜板部１２ａの端縁に垂直の取付片１２ｂを連設せしめるとともに、前記分岐稜線１１部に、前記苗箱２間に形成した間隙１０が適合し、かつ、上昇する加熱水蒸気の一部が通過する複数の通孔１３を適当間隔毎に設けたものである。そして、この分散遮熱板１２の取付片１２ｂを、苗箱２を乗載する３本１組からなる両側の苗箱台３の対向面にボルト止め１４せしめる。
【００１０】
【動作説明】
湯槽５内に設けた電熱ヒータ７の加熱により発散される上昇加熱蒸気は、その一部が分散遮熱板１２の通孔１３を通って上昇するとともに、湯槽５の直上に設けた苗箱２間の間隙１０部を上昇して育苗器本体Ａ内を均一に加温するよう作用し、残部の大半の加熱水蒸気は分散遮熱板１２の下面中央に形成した分岐稜線１１から左右に分かれ、傾斜板部１２ａに誘導されて図１に示すように段積み苗箱２間を経て上昇する。一方、図１の矢印で示すように加熱水蒸気は育苗器本体Ａ内を拡散上昇し、保温カバー６で被覆された育苗器本体Ａの内部全域に加熱水蒸気が行きわたり、室内雰囲気を約３０℃に保温することにより種籾の健全な発芽，育苗が効率よく行える。
保温カバー６の内壁面に外気との温度差により発生した結露は還水部材９を介して回収斜板８に至り湯槽５内に誘導回収される。又段積み苗箱２，苗箱台３及びフレーム４に生じた結露は直接回収斜板８上に滴下し湯槽５に回収されるとともに、分散遮熱板１２上に滴下した結露は、傾斜板部１２ａ上を流下し通孔１３を経て湯槽５内に誘導回収せしめられる。
【００１１】
【発明の効果】
上述のように本発明の構成によれば、次のような効果が得られる。
（ａ）湯槽から発散上昇される加熱水蒸気は、その一部が分散遮熱板の通孔を通過して上昇し残部は左右に分流され、加熱水蒸気が直接苗箱の底部に接触することがないため、湯槽の直上に段積み苗箱を配設収容することができ、上昇加熱水蒸気の直接接蒸を回避する空間を設ける必要がないので育苗器本体の小型化が合理的に図れる。
（ｂ）分散遮熱板の分岐稜線部に適当の間隔を介して上昇加熱水蒸気の一部を通過させる通孔を設け、この各通孔の上方に育苗器本体の奥行き方向に列設せる段積み苗箱間に形成せる間隙部を適合させたことにより、苗箱の局部的加熱が防止され、育苗効率の向上が図れる。
（ｃ）苗箱，苗箱台及びフレームなどに生じた結露流水を分散遮熱板にて受け通孔を介して湯槽内に誘導回収することができる。
【図面の簡単な説明】
【図１】一部切欠正面図である。
【図２】一部切欠側面図である。
【図３】分散遮熱板の斜視図である。
【符号の説明】
Ａ  育苗器本体
１  器枠
２  苗箱
３  苗箱台
４  フレーム
５  湯槽
６  保温カバー
７  電熱ヒータ
８  回収斜板
９  環水部材
１０  間隙
１１  分岐稜線
１２  分散遮熱板
１２ａ  傾斜板部
１２ｂ  取付片
１３  通孔
１４  ボルト止め
【図１】
0003573435.tif 000002
【図２】
0003573435.tif 000003
【図３】
0003573435.tif 000004